(57)【要約】【課題】映像データを用いた容易な操作で、よりユーザの意向に沿った録画コンテンツのタイトルを作成することができる記録再生装置を提供する。【解決手段】ＤＶＤレコーダ１００において、受信手段は、映像データを含むコンテンツデータを受信し、記録手段は、受信手段により受信されたコンテンツデータを記録し、再生手段は、記録手段により記録されたコンテンツデータを再生して、映像データに基づく映像を表示部３００ａに表示させ、マーキング手段は、再生手段によるコンテンツデータの再生時に、表示部３００ａに表示される映像をマーキングし、取得手段は、マーキング手段によりマーキングされた映像の映像データを取得し、作成手段は、取得手段により取得された映像データに基づいて、記録手段により記録されたコンテンツデータのタイトル情報を作成する。【選択図】図１
2009087394.tif 000002
【特許請求の範囲】
【請求項１】
映像データを含むコンテンツデータを受信する受信手段と、
前記受信手段により受信された前記コンテンツデータを記録する記録手段と、
前記記録手段により記録された前記コンテンツデータを再生して、前記映像データに基づく映像を表示部に表示させる再生手段と、
前記再生手段による前記コンテンツデータの再生時に、前記表示部に表示される前記映像をマーキングするマーキング手段と、
前記マーキング手段によりマーキングされた前記映像の映像データを取得する取得手段と、
前記取得手段により取得された前記映像データに基づいて、前記記録手段により記録された前記コンテンツデータのタイトル情報を作成する作成手段と、
を備えることを特徴とする記録再生装置。
【請求項２】
前記コンテンツデータにおける、前記マーキング手段によりマーキングされた前記映像が再生される所定の再生位置を記憶する記憶手段を備え、
前記取得手段は、前記記憶手段により記憶された前記所定の再生位置に基づいて、前記コンテンツデータと同一のシリーズに属する第２のコンテンツデータに含まれる映像データを取得し、
前記作成手段は、前記取得手段により取得された前記映像データに基づいて、前記第２のコンテンツデータのタイトル情報を作成することを特徴とする請求項１に記載の記録再生装置。
【請求項３】
前記コンテンツデータにおける、前記マーキング手段によりマーキングされた前記映像を記憶する記憶手段を備え、
前記取得手段は、前記コンテンツデータと同一のシリーズに属する第２のコンテンツデータから、前記記憶手段により記憶された前記映像が再生される再生位置を検出し、検出された再生位置に基づいて、前記第２のコンテンツデータに含まれる映像データを取得し、
前記作成手段は、前記取得手段により取得された前記映像データに基づいて、前記第２のコンテンツデータのタイトル情報を作成することを特徴とする請求項１に記載の記録再生装置。
【請求項４】
前記作成手段は、前記取得手段により取得された前記映像データに含まれる文字データを取得して、当該文字データに基づく文字の少なくとも一部を含むタイトル情報を作成することを特徴とする請求項１〜３の何れか一項に記載の記録再生装置。
【請求項５】
前記作成手段は、前記取得手段により取得された前記映像データに基づく映像のサムネイル画像を作成して、当該サムネイル画像を含むタイトル情報を作成することを特徴とする請求項１〜３の何れか一項に記載の記録再生装置。
【請求項６】
映像データを含む第１のコンテンツデータ及び当該第１のコンテンツデータと同一のシリーズに属する第２のコンテンツデータを受信する受信手段と、
前記受信手段により受信された前記第１のコンテンツデータ及び前記第２のコンテンツデータを記録する記録手段と、
前記記録手段により記録された前記第１のコンテンツデータ及び前記第２のコンテンツデータを再生して、前記映像データに基づく映像を表示部に表示させる再生手段と、
前記再生手段による前記第１のコンテンツデータの再生時に、前記表示部に表示される前記映像をマーキングするマーキング手段と、
前記第１のコンテンツデータにおける、前記マーキング手段によりマーキングされた前記映像が再生される所定の再生位置を記憶する記憶手段と、
前記第１のコンテンツデータにおける、前記マーキング手段によりマーキングされた前記映像の映像データを取得するとともに、前記記憶手段により記憶された前記所定の再生位置に基づいて、前記第２のコンテンツデータに含まれる映像データを取得する取得手段と、
前記取得手段により取得された前記映像データに基づいて、前記記録手段により記録された前記第１のコンテンツデータのタイトル情報及び前記第２のコンテンツデータのタイトル情報を作成する作成手段と、
を備え、
前記作成手段は、前記取得手段により取得された前記映像データに含まれる文字データを取得して、当該文字データに基づく文字の少なくとも一部を含むタイトル情報を作成又は前記取得手段により取得された前記映像データに基づく映像のサムネイル画像を作成して、当該サムネイル画像を含むタイトル情報を作成することを特徴とする記録再生装置。
【発明の詳細な説明】
【技術分野】
【０００１】
本発明は、コンテンツデータを記録して再生する記録再生装置に関する。
【背景技術】
【０００２】
通常、記録再生装置において、テレビジョン番組を録画すると、放送信号とともに送信される番組情報に含まれるタイトル情報に基づいて、番組のタイトルが作成されて記録される（特許文献１参照）。
しかしながら、登場人物名や、シリーズ形式の番組におけるその放送回のタイトル等、録画コンテンツのタイトル名に含まれない情報を知るためには、録画されたコンテンツを実際に再生して確認しなければならず、不便であるという問題があった。
【０００３】
そこで、例えば、光ディスクに記録された情報のうち、ディスクの名称やトラックの名称等を、ユーザが自由に書き換えることができる記録装置が知られている（特許文献２参照）。
しかしながら、上記特許文献２によれば、ユーザが文字を入力する操作を行わなければならず、面倒である。
そこで、ユーザが、表示部に表示された付加情報を選択する操作を行うと、選択された付加情報に含まれるタイトル名や、アーティスト名等が取得されて記録媒体に記録されるデジタル放送記録再生装置が知られている（特許文献３参照）。これによれば、録音する曲のタイトルやアーティスト名をユーザ自身で一文字ずつ入力する操作を行わなくても、曲のタイトルやアーティスト名等の必要な情報を記憶することができる。
【特許文献１】特開２００３−２３００８０号公報
【特許文献２】特開平８−７７７６２号公報
【特許文献３】特開２００３−５９２４６号公報
【発明の開示】
【発明が解決しようとする課題】
【０００４】
しかしながら、上記特許文献３では、付加情報に含まれていない情報はタイトルに含めることができないため、使い勝手が悪い。
また、上記特許文献１や特許文献３は、デジタル放送のように、番組データに付加情報が付加されていることを前提としている。したがって、アナログ放送の番組を録画する場合には、必要な情報を取得することができず、タイトルを作成することができないという問題があった。
【０００５】
本発明の課題は、コンテンツデータに含まれる映像データを用いた容易な操作で、よりユーザの意向に沿った録画コンテンツのタイトルを作成することができる記録再生装置を提供することである。
【課題を解決するための手段】
【０００６】
上記課題を解決するため、請求項１に記載の発明は、記録再生装置において、映像データを含むコンテンツデータを受信する受信手段と、
前記受信手段により受信された前記コンテンツデータを記録する記録手段と、
前記記録手段により記録された前記コンテンツデータを再生して、前記映像データに基づく映像を表示部に表示させる再生手段と、
前記再生手段による前記コンテンツデータの再生時に、前記表示部に表示される前記映像をマーキングするマーキング手段と、
前記マーキング手段によりマーキングされた前記映像の映像データを取得する取得手段と、
前記取得手段により取得された前記映像データに基づいて、前記記録手段により記録された前記コンテンツデータのタイトル情報を作成する作成手段と、
を備えることを特徴とする。
【０００７】
請求項２に記載の発明は、請求項１に記載の記録再生装置において、前記コンテンツデータにおける、前記マーキング手段によりマーキングされた前記映像が再生される所定の再生位置を記憶する記憶手段を備え、
前記取得手段は、前記記憶手段により記憶された前記所定の再生位置に基づいて、前記コンテンツデータと同一のシリーズに属する第２のコンテンツデータに含まれる映像データを取得し、
前記作成手段は、前記取得手段により取得された前記映像データに基づいて、前記第２のコンテンツデータのタイトル情報を作成することを特徴とする。
【０００８】
請求項３に記載の発明は、請求項１に記載の記録再生装置において、前記コンテンツデータにおける、前記マーキング手段によりマーキングされた前記映像を記憶する記憶手段を備え、
前記取得手段は、前記コンテンツデータと同一のシリーズに属する第２のコンテンツデータから、前記記憶手段により記憶された前記映像が再生される再生位置を検出し、検出された再生位置に基づいて、前記第２のコンテンツデータに含まれる映像データを取得し、
前記作成手段は、前記取得手段により取得された前記映像データに基づいて、前記第２のコンテンツデータのタイトル情報を作成することを特徴とする。
【０００９】
請求項４に記載の発明は、請求項１〜３の何れか一項に記載の記録再生装置において、前記作成手段は、前記取得手段により取得された前記映像データに含まれる文字データを取得して、当該文字データに基づく文字の少なくとも一部を含むタイトル情報を作成することを特徴とする。
【００１０】
請求項５に記載の発明は、請求項１〜３の何れか一項に記載の記録再生装置において、前記作成手段は、前記取得手段により取得された前記映像データに基づく映像のサムネイル画像を作成して、当該サムネイル画像を含むタイトル情報を作成することを特徴とする。
【００１１】
請求項５に記載の発明は、記録再生装置において、映像データを含む第１のコンテンツデータ及び当該第１のコンテンツデータと同一のシリーズに属する第２のコンテンツデータを受信する受信手段と、
前記受信手段により受信された前記第１のコンテンツデータ及び前記第２のコンテンツデータを記録する記録手段と、
前記記録手段により記録された前記第１のコンテンツデータ及び前記第２のコンテンツデータを再生して、前記映像データに基づく映像を表示部に表示させる再生手段と、
前記再生手段による前記第１のコンテンツデータの再生時に、前記表示部に表示される前記映像をマーキングするマーキング手段と、
前記第１のコンテンツデータにおける、前記マーキング手段によりマーキングされた前記映像が再生される所定の再生位置を記憶する記憶手段と、
前記第１のコンテンツデータにおける、前記マーキング手段によりマーキングされた前記映像の映像データを取得するとともに、前記記憶手段により記憶された前記所定の再生位置に基づいて、前記第２のコンテンツデータに含まれる映像データを取得する取得手段と、
前記取得手段により取得された前記映像データに基づいて、前記記録手段により記録された前記第１のコンテンツデータのタイトル情報及び前記第２のコンテンツデータのタイトル情報を作成する作成手段と、
を備え、
前記作成手段は、前記取得手段により取得された前記映像データに含まれる文字データを取得して、当該文字データに基づく文字の少なくとも一部を含むタイトル情報を作成又は前記取得手段により取得された前記映像データに基づく映像のサムネイル画像を作成して、当該サムネイル画像を含むタイトル情報を作成することを特徴とする。
【発明の効果】
【００１２】
本発明によれば、受信手段により、映像データを含むコンテンツデータが受信され、記録手段により、受信手段により受信されたコンテンツデータが記録され、再生手段により、記録手段により記録されたコンテンツデータが再生されて、映像データに基づく映像が表示部に表示され、マーキング手段により、再生手段によるコンテンツデータの再生時に、表示部に表示される映像がマーキングされ、取得手段により、マーキング手段によりマーキングされた映像の映像データが取得され、作成手段により、取得手段により取得された映像データに基づいて、記録手段により記録されたコンテンツデータのタイトル情報が作成される。
したがって、コンテンツデータの再生時に、再生映像をマーキングすると、その映像の映像データに基づいてタイトル情報が作成されることとなる。したがって、記録再生装置において、コンテンツデータに含まれる映像データを用いた容易な操作で、よりユーザの意向に沿った録画コンテンツのタイトルを作成することができる。
【発明を実施するための最良の形態】
【００１３】
（実施形態１）
以下、本発明の実施形態１を、図面を参照しながら詳細に説明する。
本実施形態１の記録再生装置は、例えば、ＤＶＤレコーダであるものとして説明を行う。
なお、記録再生装置は、ＤＶＤレコーダに限られることなく、ＢＤ（Blue-ray Disc）レコーダ、Ｄ−ＶＨＳレコーダ等であっても良い。
【００１４】
まず、図１を参照しながら、実施形態１のＤＶＤレコーダ１００の要部構成について説明する。
ＤＶＤレコーダ１００は、テレビジョン放送局から伝送される放送信号を受信して、受信した放送信号に含まれるコンテンツデータの記録及び再生を行う。ＤＶＤレコーダ１００には、テレビジョン受像機３００等の外部装置が接続されており、ＤＶＤ６１に記録されたコンテンツデータは、このテレビジョン受像機３００に出力されて視聴者に提供される。
【００１５】
ＤＶＤレコーダ１００は、例えば、キー入力部１、放送局から送信された放送信号を受信して、当該放送信号のうちから所定の放送チャンネルの放送信号を選局して、コンテンツデータ（第１のコンテンツデータ、第２のコンテンツデータ）を抽出するチューナ２、チューナ２から入力されたコンテンツデータに対して所定の圧縮処理を行うエンコーダ部３、チューナ２から入力されたコンテンツデータを解析して映像データを取得する解析部４、コンテンツデータの入出力を制御して、エンコーダ部３から入力されたコンテンツデータをＤＶＤドライブ部６に供給するとともに、ＤＶＤドライブ部６から取り込んだコンテンツデータをデコーダ部７に供給するデータプロセッサ５、ＤＶＤ６１に対して放送番組データの記録及び再生を行うＤＶＤドライブ部６、ＤＶＤドライブ部６から出力された放送番組データに所定の伸張処理を行うデコーダ部７、映像データに含まれる文字を認識する文字認識部８、映像データに基づいてサムネイル画像を作成するサムネイル画像作成部９、文字認識部８から入力されるテキストデータ・サムネイル画像作成部９から入力されるサムネイル画像・ビデオデコーダ７２から入力される付加情報（番組配列情報（SI: Service Information））に基づいてタイトル情報を作成するタイトル情報作成部１０、ＯＳＤデータ等を映像信号に合成するミキシング部１１、ＤＶＤレコーダ１００全体を統括制御する制御部１２等を備えて構成されている。
【００１６】
キー入力部１は、例えば、機器本体を遠隔操作するリモートコントローラ等であり、各種キーの押下に基づいてリモコン信号を生成し、機器本体の制御部１２に対して出力する。具体的には、キー入力部１には、図示は省略するが、電源キー、テンキー、メニューキー、ＥＰＧ（電子番組ガイド）表示キー、上キー・下キー・左キー・右キーから成るカーソルキー、決定キー、クリアキー、音声切替キー、リターンキー、チャンネルアップ／ダウンキー、ボリュームアップ／ダウンキー等の各種キーが備わる。
また、キー入力部１には、第１のコンテンツデータの再生時に、所望の再生映像をマーキングしてタイトルの作成を指示するためのタイトル作成キー１ａが備わる。当該タイトル作成キー１ａが操作されると、後述するマーキングプログラム１２５ｄ、記憶プログラム１２５ｅ、取得プログラム１２５ｆ、作成プログラム１２５ｇが実行され、マーキングされた再生映像に基づく第１のコンテンツデータのタイトル情報が作成されることとなる。
【００１７】
また、タイトル作成キー１ａの操作により、第１のコンテンツデータのタイトル情報が作成されると、第１のコンテンツデータと同一のシリーズに属する第２のコンテンツデータのタイトル情報が作成される。
特に、本実施形態１では、第１のコンテンツデータにおいてマーキングされた映像の再生位置が記憶され、第２のコンテンツデータにおける当該再生位置の映像データに基づいて、第２のコンテンツデータのタイトル情報が作成される。
【００１８】
ここで、第１のコンテンツデータとは、当該コンテンツデータがシリーズ形式の番組である場合に、タイトル情報が作成される最初の番組を指す。また、コンテンツデータがシリーズ形式の番組でなく単発の番組である場合であっても、タイトル情報が作成される番組は第１のコンテンツデータとされる。
一方、第２のコンテンツデータとは、同一のシリーズに属するコンテンツデータであって既にタイトル情報が作成されているコンテンツデータ(第１のコンテンツデータ)が存在する場合に、二番目以降にタイトル情報が作成される番組を指す。
【００１９】
即ち、例えば、『きかんしゃトー○ス』（シリーズ名）というシリーズものの番組を、第１話から順に録画する場合、例えば、第１話の再生時に、タイトル作成キー１ａを操作して第１話のタイトル情報を一番初めに作成すると、当該第１話が「第１のコンテンツデータ」とされ、第２話以降が「第２のコンテンツデータ」とされる。
また、例えば、第２話の再生時に、タイトル作成キー１ａを操作して第２話のタイトル情報を一番初めに作成すると、第２話が「第１のコンテンツデータ」とされ、第１話及び第３話以降が「第２のコンテンツデータ」とされる。
【００２０】
チューナ２は、例えば、高周波増幅回路と、局部発振回路及び混合回路から成る周波数変換回路と、を備えて構成されており、アンテナ等により入力されたデジタルテレビジョン放送信号（ＲＦ信号）と、局部発振回路から出力される局部発振信号とを混合回路により混合し、当該放送信号の周波数を選局するための制御部１２からの制御出力に応じて、特定周波数帯のデジタルテレビジョン放送信号を受信する。そして当該受信したデジタル放送信号に所定の処理を行うことによりＴＳに変換し、必要なＴＳパケットを取り出してエンコーダ部３に出力する。
【００２１】
エンコーダ部３は、例えば、入力されるコンテンツデータをＤＶＤドライブ部６においてＤＶＤ６１に書き込み可能なファイル形式にエンコードし、データプロセッサ５に供給する。
解析部４は、チューナ２から入力される第２のコンテンツデータとしてのＴＳを解析して、所定の再生位置（後述）に含まれる映像データを取得する。
【００２２】
データプロセッサ５は、例えば、ＣＰＵ１２１からの制御出力に基づいて、データの入出力経路を設定して、データの入力及び出力を制御する。
例えば、記録処理では、エンコーダ部３から入力されたコンテンツデータに対して、誤り訂正符号化、８−１６変調等を行い、一旦バッファメモリ５１に貯めた後に、ＣＰＵ１２１からの制御出力に応じてＤＶＤドライブ部６に出力する。また、再生時に必要な管理情報を、コンテンツデータとともに、ＤＶＤドライブ部６に出力して記録させる。
一方、再生処理では、ＤＶＤドライブ部６から読み込んだコンテンツデータに対して、波形等価、Ａ／Ｄ変換、８−１６復調、誤り訂正復号等を行い、一旦バッファメモリ５１に貯めた後に、ＣＰＵ１２１からの制御出力に応じてデコーダ部７に出力する。
【００２３】
ＤＶＤドライブ部６は、例えば、ＤＶＤドライブ部６に対して着脱自在なＤＶＤ６１、ＤＶＤ６１に対する放送番組データの記録及びＤＶＤ６１に記録された放送番組データの読み出しを行う光ピックアップ６２、装填されたＤＶＤ６１を回転させるスピンドルモータ６３、光ピックアップ６２をＤＶＤ６１の半径方向に移動させる送りモータ６４等を備えている。
ＤＶＤ６１は、例えば、書き換え可能なＤＶＤ−ＲＡＭ（Random Access Memory）である。ＤＶＤドライブ部６では、記録処理において、光ピックアップ６２により、ＤＶＤ６１の反射層にレーザ光を照射して、照射光による加熱により記録層の結晶状態を変化させて結晶部・非晶質部を形成することにより、ＤＶＤ６１に対するデータの書き込みを行う。一方、再生処理において、光ピックアップ６２によりＤＶＤ６１の反射層にレーザ光を照射し、光電変換及び電流電圧変換によって反射光に応じた電圧信号を生成することにより、ＤＶＤ６１に記録されたデータの読み出しを行う。
【００２４】
デコーダ部７は、例えば、分離部７１、ビデオデコーダ７２、オーディオデコーダ７３、データデコーダ７４等を備えて構成されている。
分離部７１は、ＤＶＤドライブ部６からデータプロセッサ５を介して出力されたデータストリームを、ビデオストリーム、オーディオストリーム、サブピクチャストリーム等の複数のストリームに分離する。
ビデオデコーダ７２は、分離部７１から入力されるビデオストリームをデコードする。具体的には、ビデオデコーダ７２は、ビデオストリームに、可変長復号化、逆量子化、逆ＤＣＴ、動き補正等の各種処理を行うことでデコードする。
オーディオデコーダ７３は、分離部７１から入力されるオーディオストリームを伸張する。
データデコーダ７４は、分離部７１から入力されたサブピクチャストリームをデコードする。
ミキシング部１１は、ビデオデコーダ７２においてデコードされたビデオストリームに対して、データデコーダ７４から入力されるＯＳＤデータ等を合成する。
デコードされたビデオデータは、図示しないメモリに一旦格納された後に、各コマの表示時間情報に応じた所定の再生タイミングで、ＤＶＤレコーダ１００に接続されたテレビジョン受像機３００の表示部３００ａに出力されることとなる。また、デコードされた音声データは、テレビジョン受像機３００のスピーカ３００ｂに出力されることとなる。
【００２５】
文字認識部８は、例えば、単語辞書８１を備え、制御部１２の制御に従い、第１のコンテンツデータのタイトル作成処理に際して、ビデオデコーダ７２から入力される映像データに対して、文字認識処理を行って、映像データに含まれるテキストデータを抽出する。また、第２のコンテンツデータのタイトル作成処理に際して、解析部４から入力される映像データに対して、文字認識処理を行って、映像データに含まれるテキストデータを抽出する。
文字認識処理では、映像データに含まれる文字列を取り込んでデジタル化し、デジタル化された文字列に対して文字認識を行う。そして、文字認識された文字の文字コードが、タイトル情報作成部１０に入力される。
【００２６】
サムネイル画像作成部９は、例えば、第１のコンテンツデータのタイトル作成処理に際して、ビデオデコーダ７２から入力される映像データに対して縮小処理を施して、サムネイル画像を作成する。また、第２のコンテンツデータのタイトル作成処理に際して、解析部４から入力される映像データに対して縮小処理を施して、サムネイル画像を作成する。サムネイル画像作成部９において作成されたサムネイル画像は、タイトル情報作成部１０に出力される。
【００２７】
タイトル情報作成部１０は、文字認識部８から入力されるテキストデータ、サムネイル画像作成部９から入力されるサムネイル画像、データデコーダ７４から入力される付加情報（番組配列情報）等に基づいて、タイトル情報を作成する。さらに、作成したタイトル情報を、データプロセッサ５を介してＤＶＤドライブ部６に出力する。
タイトル情報作成部１０から入力されるタイトル情報は、ＤＶＤドライブ部６において、番組と対応付けてＤＶＤ６１に記憶される。
ここで、本発明において、タイトル情報とは、取得された映像データから抽出される文字、取得された映像のサムネイル画像、コンテンツデータの付加情報（番組配列情報）に含まれるシリーズ名（オリジナルタイトル）等のうち、少なくとも一つを含む情報である。
【００２８】
制御部１２は、ＣＰＵ（Central Processing Unit）１２１、現在時刻を計時する計時部１２２、ＲＡＭ（Random Access Memory）１２３、再生位置記憶部１２４、ＲＯＭ（Read Only Memory）１２５等を備えて構成されている。
【００２９】
ＣＰＵ１２１は、各部から入力された入力信号に応じて、ＲＯＭ１２５に格納された各種プログラムを実行するとともに、実行にかかるプログラムに基づいて各部に出力信号を出力することにより、ＤＶＤレコーダ１００の動作全般を統括制御する。
【００３０】
ＲＡＭ１２３は、例えば、ＣＰＵ１２１によって各種プログラムが実行される際に生じる処理結果や、入力されたデータ等を記憶する。
再生位置記憶部１２４は、ＥＰＲＯＭ（Erasable Programmable ROM）等により構成され、後述する記憶プログラム１２５ｅの実行において、タイトル作成キー１ａの操作によりマーキングされた映像の所定の再生位置を、番組（シリーズ）毎に記憶する。
【００３１】
ＲＯＭ１２５は、不揮発性メモリから成るプログラム格納エリアを有しており、具体的には、受信プログラム１２５ａ、記録プログラム１２５ｂ、再生プログラム１２５ｃ、マーキングプログラム１２５ｄ、記憶プログラム１２５ｅ、取得プログラム１２５ｆ、作成プログラム１２５ｇ等を記憶している。
【００３２】
受信プログラム１２５ａは、例えば、ＣＰＵ１２１に、映像データを含む第１のコンテンツデータ及び当該第１のコンテンツデータと同一のシリーズに属する第２のコンテンツデータを受信する機能を実現させるためのプログラムである。
具体的には、ＣＰＵ１２１は、キー入力部１において、番組の録画を指示する旨の操作が行われると、チューナ２を特定周波数帯に同調させ、放送信号を受信する。また、シリーズ形式の番組の録画が予約されると、予約された番組の放送開始時刻から放送受信時刻まで、当該番組の放送信号を受信する。さらに、受信したＴＳから、録画番組のＴＳパケット（コンテンツデータ、第１のコンテンツデータ、第２のコンテンツデータ）を取得してエンコーダ部３に出力する。
ＣＰＵ１２１は、かかる受信プログラム１２５ａを実行することにより、チューナ２とともに受信手段として機能する。
【００３３】
記録プログラム１２５ｂは、例えば、ＣＰＵ１２１に、受信プログラム１２５ａの実行により受信された第１のコンテンツデータ及び第２のコンテンツデータを記録する機能を実現させるためのプログラムである。
具体的には、ＣＰＵ１２１は、チューナ２において取り出した第１のコンテンツデータ又は第２のコンテンツデータを、エンコーダ部３においてＤＶＤ６１に記録可能なファイル形式にエンコードし、データプロセッサ５において、誤り訂正符号化、８−１６変調等を行って、ＤＶＤドライブ部６においてＤＶＤ６１に記録させる。ＣＰＵ１２１は、同一シリーズに属する番組を、互いに対応づけて記録させる。
ＣＰＵ１２１は、かかる記録プログラム１２５ｂを実行することにより、ＤＶＤドライブ部６とともに記録手段として機能する。
【００３４】
再生プログラム１２５ｃは、例えば、ＣＰＵ１２１に、記憶プログラム１２５ｅの実行により記録された第１のコンテンツデータ及び第２のコンテンツデータを再生して、映像データに基づく映像を表示部３００ａに表示させる機能を実現させるためのプログラムである。
具体的には、ＣＰＵ１２１は、キー入力部１において、ＤＶＤ６１に記録された番組の再生を指示する旨の操作が行われると、ＤＶＤドライブ部６において、ＤＶＤ６１に記録されたコンテンツデータ（第１のコンテンツデータ又は第２のコンテンツデータ）を読出し、８−１６復調、誤り訂正復号等を行って、デコーダ部７に送る。さらに、分離部７１において、ビデオストリーム、オーディオストリーム、データストリームに分離した後に、各ストリームを、ビデオデコーダ７２、オーディオデコーダ７３、データデコーダ７４において、それぞれデコードし、機器本体に接続されたテレビジョン受像機３００の表示部３００ａ及びスピーカ３００ｂに出力する。
ＣＰＵ１２１は、かかる再生プログラム１２５ｃを実行することにより、再生手段として機能する。
【００３５】
マーキングプログラム１２５ｄは、例えば、ＣＰＵ１２１に、再生プログラム１２５ｃの実行による第１のコンテンツデータの再生時に、表示部３００ａに表示される映像をマーキングする機能を実現させるためのプログラムである。
具体的には、ユーザは、第１のコンテンツデータの再生時に、テレビジョン受像機３００の表示部３００ａに表示される再生映像を見て、タイトル情報に含めたい文字や映像が表示されている間に、キー入力部１のタイトル作成キー１ａを押下する。すると、ＣＰＵ１２１は、タイトル作成キー１ａの押下に基づいて、キーが押下された時点で表示部３００ａに表示されている再生映像をマーキング映像として決定する。
ＣＰＵ１２１は、かかるマーキングプログラム１２５ｄを実行することにより、タイトル作成キー１ａとともに、マーキング手段として機能する。
【００３６】
記憶プログラム１２５ｅは、例えば、ＣＰＵ１２１に、第１のコンテンツデータにおける、マーキングプログラム１２５ｄの実行によりマーキングされた映像が再生される所定の再生位置を記憶する機能を実現させるためのプログラムである。
具体的には、ＣＰＵ１２１は、マーキングプログラム１２５ｄの実行により、タイトル作成キー１ａが押下された時点で表示部３００ａに表示されている再生映像がマーキング映像として決定されると、当該マーキング映像の所定の再生位置を決定する。
ここで、所定の再生位置とは、タイトル作成キー１ａが操作された時点のマーキング映像を含む所定幅の位置であっても良く、また、タイトル作成キー１ａが操作された時点のマーキング映像をピンポイントで示す位置であっても良い。所定の再生位置は、例えば、番組の放送開始からの経過時間で示される。再生位置が決定されると、ＣＰＵ１２１は、その再生位置に関する情報（例えば、番組の放送開始からの経過時間データ）を、当該番組（シリーズ）の識別情報とともに、再生位置記憶部１２４に記憶させる。
ＣＰＵ１２１は、かかる記憶プログラム１２５ｅを実行することにより、再生位置記憶部１２４とともに、記憶手段として機能する。
【００３７】
取得プログラム１２５ｆは、例えば、ＣＰＵ１２１に、第１のコンテンツデータにおける、マーキングプログラム１２５ｄの実行によりマーキングされた映像の映像データを取得するとともに、記憶プログラム１２５ｅの実行により記憶された所定の再生位置に基づいて、第２のコンテンツデータに含まれる映像データを取得する機能を実現させるためのプログラムである。
具体的には、ＣＰＵ１２１は、第１のコンテンツデータの再生時に、タイトル作成キー１ａの押下に基づいてマーキングされた映像の再生位置が再生位置記憶部１２４に記憶されると、第１のコンテンツデータにおける当該マーキングされた映像データ（図３参照）をＤＶＤ６１から取得する。
また、ＣＰＵ１２１は、第１のコンテンツデータと、同一のシリーズに属する第２のコンテンツデータがチューナ２において受信されると、解析部４において、第２のコンテンツデータから、記憶プログラム１２５ｅの実行により記憶された再生位置の映像データ（図４参照）を取得する。
ここで、第２のコンテンツデータは、第１のコンテンツデータと同じシリーズに属する番組であるため、第２のコンテンツデータから取得された、記憶プログラム１２５ｅの実行により記憶された再生位置の映像（図４参照）は、第１のコンテンツデータの再生時にマーキングした映像（図３参照）と同様の映像である可能性が高く、マーキングした映像と同じように、タイトル情報に含めたい文字や映像を含むユーザの意向に沿った映像である可能性が高いと考えられる。
ＣＰＵ１２１は、かかる取得プログラム１２５ｆを実行することにより、ＤＶＤドライブ部６、解析部４とともに、取得手段として機能する。
【００３８】
作成プログラム１２５ｇは、例えば、ＣＰＵ１２１に、取得プログラム１２５ｆの実行により取得された映像データに基づいて、記録プログラム１２５ｂの実行により記録された第１のコンテンツデータのタイトル情報及び第２のコンテンツデータのタイトル情報を作成する機能を実現させるためのプログラムである。作成プログラム１２５ｇは、取得プログラム１２５ｆの実行により取得された映像データに含まれる文字データを取得して、当該文字データに基づく文字の少なくとも一部を含むタイトル情報を作成する、又は、取得プログラム１２５ｆの実行により取得された映像データに基づく映像のサムネイル画像を作成して、当該サムネイル画像を含むタイトル情報を作成する。
ＣＰＵ１２１は、かかる作成プログラム１２５ｇを実行することにより、作成手段として機能する。
【００３９】
タイトル情報の作成方法は、図２に例示するメニュー画面において予めユーザにより選択されている。図２では、タイトル作成キー１ａによりマーキングした映像に含まれる文字を含むタイトル情報を作成する方法と、タイトル作成キー１ａによりマーキングした映像のサムネイル画像を含むタイトル情報を作成する方法の何れかを選択することができる。
【００４０】
まず、作成プログラム１２５ｇの実行において、マーキングした映像に含まれる文字を含むタイトル情報を作成する場合について具体的に説明する。
ＣＰＵ１２１は、第１のコンテンツデータの再生中に、タイトル作成キー１ａが押下されると、タイトル作成キー１ａが押下された時点の再生映像（図３参照）の静止映像データをＤＶＤ６１から取り込む。そして、取り込んだ映像データを文字認識部８に出力し、映像データに含まれるテキストデータ（例えば、「トー○スとゴー○ン  登場人物名：トー○スとゴー○ン」）を抽出する。そして、抽出したテキストデータをタイトル情報作成部１０に出力し、このテキストデータに基づいてタイトル情報を作成する。
タイトル情報作成部１０では、例えば、コンテンツデータとともに伝送される付加情報（番組配列情報）に含まれているシリーズ名（例えば、「トー○スとなかまたち」）と、映像データから抽出したテキストデータの一部（例えば、「トー○スとゴー○ン」）と、を合成してタイトル情報（例えば、『トー○スとなかまたち  トー○スとゴー○ン』）とする。
また、例えば、コンテンツデータとともに伝送される付加情報に含まれているシリーズ名はタイトル情報に含めず、映像データから抽出したテキストデータをタイトル情報（例えば、『トー○スとゴー○ン  登場人物名：トー○ス、ゴー○ン』）とする。
ＣＰＵ１２１は、タイトル情報作成部１０においてタイトル情報が作成されると、データプロセッサ５を介してＤＶＤドライブ部６に出力し、第１のコンテンツデータと対応づけてＤＶＤ６１に記録させる。
【００４１】
また、ＣＰＵ１２１は、タイトル情報が作成された第１のコンテンツデータと同一のシリーズに属する第２のコンテンツデータの受信が開始されると、当該第２のコンテンツデータを解析部４において解析し、記憶プログラム１２５ｅの実行により記憶された再生位置の再生映像（図４参照）の静止映像データを取り込む。そして、取り込んだ映像データを文字認識部８に出力し、映像データに含まれるテキストデータ（例えば、「あかはなのジェー○ス  登場人物名：ジェー○ス、○ック、○ル、○ン、○コ、トレ○ー」）を抽出する。そして、抽出したテキストデータをタイトル情報作成部１０に出力し、このテキストデータに基づいてタイトル情報を作成する。
タイトル情報作成部１０は、第１のコンテンツデータに対して行ったタイトル情報の作成方法と同様に、例えば、コンテンツデータとともに伝送される付加情報に含まれているシリーズ名（例えば、「トー○スとなかまたち」）と、映像データから抽出したテキストデータの一部（例えば、「あかはなのジェー○ス」）と、を合成してタイトル情報（例えば、『トー○スとなかまたち  あかはなのジェー○ス』）とする。
また、例えば、コンテンツデータとともに伝送される付加情報に含まれるシリーズ名はタイトル情報に含めず、映像データから抽出したテキストデータをタイトル情報（例えば、『あかはなのジェー○ス  登場人物名：ジェー○ス、○ック、○ル、○ン、○コ、トレ○ー』）とする。
ＣＰＵ１２１は、タイトル情報作成部１０においてタイトル情報が作成されると、データプロセッサ５を介してＤＶＤドライブ部６に出力し、第２のコンテンツデータと対応づけてＤＶＤ６１に記録させる。
【００４２】
なお、付加情報から抽出したシリーズ名、映像データから抽出したサブタイトル、映像データから抽出した登場人物名等の種類を、それぞれ区別してタイトル情報を作成しても良い（例えば、『シリーズ名：トー○スとなかまたち  サブタイトル：あかはなのジェー○ス  登場人物名：ジェー○ス、○ック、○ル、○ン、○コ、トレ○ー』）。
【００４３】
図５及び図６は、マーキングした映像に含まれる文字を含むタイトル情報が作成された場合に、テレビジョン受像機３００の表示部３００ａに表示されるタイトル情報の一覧を例示する図である。
図５では、コンテンツデータとともに伝送される付加情報（番組配列情報）に含まれているシリーズ名（例えば、「トー○スとなかまたち」）と、映像データから抽出したテキストデータの一部（例えば、「トー○スとゴー○ン」、「あかはなのジェー○ス」）とが合成されてタイトル情報とされている。
また、図６では、コンテンツデータとともに伝送される付加情報（番組配列情報）に含まれているシリーズ名はタイトル情報に含まれず、映像データから抽出したテキストデータ（例えば、「トー○スとゴー○ン  登場人物名：トー○ス、ゴー○ン」／「あかはなのジェー○ス  登場人物名：ジェー○ス、○ック、○ル、○ン、○コ、トレ○ー」）が、そのままタイトル情報とされている
【００４４】
次に、作成プログラム１２５ｇの実行において、マーキングした映像のサムネイル画像を含むタイトル情報を作成する場合について、具体的に説明する。
ＣＰＵ１２１は、第１のコンテンツデータの再生中に、タイトル作成キー１ａが押下されると、タイトル作成キー１ａが押下された時点の再生映像（図３参照）の静止映像データをＤＶＤ６１から取り込む。そして、取り込んだ映像データをサムネイル画像作成部９に出力し、映像データに縮小処理を行って、サムネイル画像を作成する。そして、作成したサムネイル画像をタイトル情報作成部１０に出力し、このサムネイル画像に基づいてタイトル情報を作成する。
タイトル情報作成部１０は、例えば、コンテンツデータとともに伝送される付加情報（番組配列情報）に含まれているシリーズ名（例えば、「トー○スとなかまたち」）に、このサムネイル画像を付加してタイトル情報とする。
ＣＰＵ１２１は、タイトル情報作成部１０においタイトル情報が作成されると、データプロセッサ５を介してＤＶＤドライブ部６に出力し、第１のコンテンツデータと対応づけてＤＶＤ６１に記録させる。
【００４５】
また、ＣＰＵ１２１は、タイトル情報が作成された第１のコンテンツデータと同一のシリーズに属する第２のコンテンツデータの受信が開始されると、当該第２のコンテンツデータを解析部４において解析し、記憶プログラム１２５ｅの実行により記憶された再生位置の再生映像（図４参照）の静止映像データを取り込む。そして、取り込んだ映像データをサムネイル画像作成部９に出力し、映像データに縮小処理を行って、サムネイル画像を作成する。そして、作成したサムネイル画像をタイトル情報作成部１０に出力し、このサムネイル画像に基づいてタイトル情報を作成する。
タイトル情報作成部１０は、例えば、コンテンツデータとともに伝送される付加情報（番組配列情報）に含まれているシリーズ名（例えば、「トー○スとなかまたち」）に、このサムネイル画像を付加してタイトル情報とする。
ＣＰＵ１２１は、タイトル情報作成部１０においタイトル情報が作成されると、データプロセッサ５を介してＤＶＤドライブ部６に出力し、第２のコンテンツデータと対応づけてＤＶＤ６１に記録させる。
【００４６】
図７は、マーキングした映像のサムネイル画像を含むタイトル情報が作成された場合に、テレビジョン受像機３００の表示部３００ａに表示されるタイトル情報の一覧を例示する図である。
図７では、コンテンツデータとともに伝送される付加情報（番組配列情報）に含まれているシリーズ名（例えば、「トー○スとなかまたち」）に対して、再生映像（図３、図４参照）のサムネイル画像を付加したものがタイトル情報として表示されている。
【００４７】
以上説明した実施形態１におけるＤＶＤレコーダ１００によれば、受信プログラム１２５ａの実行により、映像データを含む第１のコンテンツデータ及び当該第１のコンテンツデータと同一のシリーズに属する第２のコンテンツデータが受信され、記録プログラム１２５ｂの実行により、受信プログラム１２５ａの実行により受信された第１のコンテンツデータ及び第２のコンテンツデータが記録され、再生プログラム１２５ｃの実行により、記録プログラム１２５ｂの実行により記録された第１のコンテンツデータ及び第２のコンテンツデータが再生されて、映像データに基づく映像が表示部３００ａに表示され、マーキングプログラム１２５ｄの実行により、再生プログラム１２５ｃの実行による第１のコンテンツデータの再生時に、表示部３００ａに表示される映像がマーキングされ、記憶プログラム１２５ｅの実行により、第１のコンテンツデータにおける、マーキングプログラム１２５ｄの実行によりマーキングされた映像が再生される所定の再生位置が記憶され、取得プログラム１２５ｆの実行により、第１のコンテンツデータにおける、マーキングプログラム１２５ｄの実行によりマーキングされた映像の映像データが取得されるとともに、記憶プログラム１２５ｅの実行により記憶された所定の再生位置に基づいて、第２のコンテンツデータに含まれる映像データが取得され、作成プログラム１２５ｇの実行により、取得プログラム１２５ｆの実行により取得された映像データに基づいて、記録プログラム１２５ｂの実行により記録された第１のコンテンツデータのタイトル情報及び第２のコンテンツデータのタイトル情報が作成される。また、作成プログラム１２５ｇにより、取得プログラム１２５ｆの実行により取得された映像データに含まれる文字データが取得されて、当該文字データに基づく文字の少なくとも一部を含むタイトル情報が作成又は取得プログラム１２５ｆの実行により取得された映像データに基づく映像のサムネイル画像が作成されて、当該サムネイル画像を含むタイトル情報が作成される。
したがって、コンテンツデータの再生時に再生映像をマーキングすると、その映像の映像データに基づいて、タイトル情報が作成されることとなる。したがって、コンテンツデータに含まれる映像データを用いた容易な操作で、よりユーザの意向に沿った録画コンテンツのタイトルを作成することができる。
また、ユーザ自身がタイトル情報を入力しなくても、所望の再生映像をマーキングするだけで、ユーザが望むタイトル情報を作成することができるため、ユーザにとって非常に利便的である。
さらに、コンテンツデータとともに送られてくる付加情報に含まれない情報であってもタイトル情報に含めることができるため、ユーザにとってより望ましいタイトル情報を作成することができる。
【００４８】
また、第１のコンテンツデータの再生時に再生映像をマーキングすることによりタイトル情報が作成されると、当該第１のコンテンツデータと同一のシリーズに属する第２のコンテンツデータについて、第１のコンテンツデータにおいてマーキングされた再生映像と同一の再生位置の映像に基づいてタイトル情報が作成される。
即ち、同一のシリーズに属するコンテンツデータの各々についてマーキング作業を行わなくても、第１のコンテンツデータの再生時に再生映像のマーキングを行えば、同一のシリーズに属するコンテンツデータの各々の映像に応じたタイトル情報が自動的に作成されることとなる。したがって、第１のコンテンツデータと同一のシリーズに属する第２のコンテンツデータのそれぞれについて、タイトル情報を作成する必要が無いばかりか、第２のコンテンツデータの再生映像をマーキングしなくても、第２のコンテンツデータのそれぞれに応じた適切なタイトル情報が作成されることとなり、ユーザにとって更に利便的となる。
【００４９】
また、作成プログラム１２５ｇの実行により、取得プログラム１２５ｆの実行により取得された映像データに含まれる文字データが取得され、当該文字データに基づく文字の少なくとも一部を含むタイトル情報が作成されるため、タイトル情報に含めたい文字が表示された再生映像をマーキングすれば、所望の文字情報をタイトル情報に含めて、ユーザにとってより望ましいタイトル情報を作成することができる。
【００５０】
また、作成プログラム１２５ｇの実行により、取得プログラム１２５ｆの実行により取得された映像データに基づく映像のサムネイル画像が作成され、当該サムネイル画像を含むタイトル情報が作成されるため、タイトル情報に含めたい再生映像をマーキングすれば、所望の映像のサムネイル画像をタイトル情報に含めて、ユーザにとってより望ましいタイトル情報を作成することができる。
【００５１】
（実施形態２）
次に、本発明の実施形態２を、図面を参照しながら詳細に説明する。
本実施形態２の記録再生装置は、例えば、実施形態１と同様に、ＤＶＤレコーダであるものとして説明を行う。
なお、実施形態１と同様の構成に関しては、同じ符号を付してその説明を省略することとする。
【００５２】
まず、図８を参照しながら、実施形態２のＤＶＤレコーダ２００の要部構成について説明する。
ＤＶＤレコーダ２００は、例えば、キー入力部１、放送局から送信された放送信号を受信して、当該放送信号のうちから所定の放送チャンネルの放送信号を選局して、コンテンツデータ（第１のコンテンツデータ、第２のコンテンツデータ）を抽出するチューナ２、チューナ２から入力されたコンテンツデータに対して所定の圧縮処理を行うエンコーダ部３、チューナ２から入力されたコンテンツデータを解析して映像データを取得する解析部１３、コンテンツデータの入出力を制御して、エンコーダ部３から入力されたコンテンツデータをＤＶＤドライブ部６に供給するとともに、ＤＶＤドライブ部６から取り込んだコンテンツデータをデコーダ部７に供給するデータプロセッサ５、ＤＶＤ６１に対して放送番組データの記録及び再生を行うＤＶＤドライブ部６、ＤＶＤドライブ部６から出力された放送番組データに所定の伸張処理を行うデコーダ部７、映像データに含まれる文字を認識する文字認識部８、映像データからサムネイル画像を作成するサムネイル画像作成部９、文字認識部８から入力されるテキストデータ・サムネイル画像作成部９から入力されるサムネイル画像・ビデオデコーダ７２から入力される付加情報（番組配列情報（SI: Service Information））に基づいてタイトル情報を作成するタイトル情報作成部１０、ＯＳＤデータ等を映像信号に合成するミキシング部１１、ＤＶＤレコーダ２００全体を統括制御する制御部１４等を備えて構成されている。
【００５３】
キー入力部１は、例えば、機器本体を遠隔操作するリモートコントローラ等であり、各種キーの押下に基づいてリモコン信号を生成して、機器本体の制御部１４に対して出力する。
キー入力部１には、第１のコンテンツデータの再生時に、所望の再生映像をマーキングしてタイトルの作成を指示するためのタイトル作成キー１ａが備わる。当該タイトル作成キー１ａが操作されると、後述するマーキングプログラム１２５ｄ、記憶プログラム１４３ａ、取得プログラム１４３ｂ、作成プログラム１２５ｇが実行され、マーキングされた再生映像に基づく第１のコンテンツデータのタイトル情報が作成されることとなる。
【００５４】
また、タイトル作成キー１ａの操作により、第１のコンテンツデータのタイトル情報が作成されると、第１のコンテンツデータと同一のシリーズに属する第２のコンテンツデータのタイトル情報が作成される。
特に、実施形態２では、実施形態１のように第１のコンテンツデータにおけるマーキングされた映像の再生位置が記憶されるのではなく、第１のコンテンツデータにおけるマーキングされた映像が記憶される。そして、第２のコンテンツデータが解析されて、第２のコンテンツデータにおける当該記憶された映像の再生位置が検出され、検出された再生位置の映像データに基づいて第２のコンテンツデータのタイトル情報が作成される。
【００５５】
解析部１３は、チューナ２から入力される第２のコンテンツデータとしてのＴＳを解析して、記憶プログラム１４３ａ（後述）の実行により記憶された映像の再生位置を検出して、検出された再生位置の映像データを取得する。
【００５６】
制御部１４は、ＣＰＵ（Central Processing Unit）１４１、現在時刻を計時する計時部１２２、ＲＡＭ（Random Access Memory）１２３、マーキング映像記憶部１４２、ＲＯＭ（Read Only Memory）１４３等を備えて構成されている。
【００５７】
ＣＰＵ１４１は、各部から入力された入力信号に応じて、ＲＯＭ１４３に格納された各種プログラムを実行するとともに、実行にかかるプログラムに基づいて各部に出力信号を出力することにより、ＤＶＤレコーダ２００の動作全般を統括制御する。
【００５８】
ＲＡＭ１２３は、例えば、ＣＰＵ１４１によって各種プログラムが実行される際に生じる処理結果や、入力されたデータ等を記憶する。
マーキング映像記憶部１４２は、ＥＰＲＯＭ（Erasable Programmable ROM）等により構成され、後述する記憶プログラム１４３ａの実行において、タイトル作成キー１ａの操作によりマーキングされた映像を、番組毎（シリーズ毎）に記憶する。
【００５９】
ＲＯＭ１４３は、不揮発性メモリから成るプログラム格納エリアを有しており、具体的には、受信プログラム１２５ａ、記録プログラム１２５ｂ、再生プログラム１２５ｃ、マーキングプログラム１２５ｄ、記憶プログラム１４３ａ、取得プログラム１４３ｂ、作成プログラム１２５ｇ等を記憶している。
【００６０】
記憶プログラム１４３ａは、例えば、ＣＰＵ１４１に、第１のコンテンツデータにおける、マーキングプログラム１２５ｄの実行によりマーキングされた映像を記憶する機能を実現させるためのプログラムである。
具体的には、ＣＰＵ１４１は、マーキングプログラム１２５ｄの実行により、タイトル作成キー１ａが押下された時点で表示部３００ａに表示されている再生映像がマーキング映像として決定されると、当該マーキング映像を、当該番組（シリーズ）の識別情報とともに、マーキング映像記憶部１４２に記憶させる。
ＣＰＵ１４１は、かかる記憶プログラム１４３ａを実行することにより、マーキング映像記憶部１４２とともに、記憶手段として機能する。
【００６１】
取得プログラム１４３ｂは、例えば、ＣＰＵ１４１に、第１のコンテンツデータにおける、マーキングプログラム１２５ｄの実行によりマーキングされた映像の映像データを取得するとともに、記憶プログラム１４３ａの実行により記憶された映像が再生される再生位置を検出し、検出された再生位置に基づいて、第２のコンテンツデータに含まれる映像データを取得する機能を実現させるためのプログラムである。
具体的には、ＣＰＵ１４１は、第１のコンテンツデータの再生時に、タイトル作成キー１ａの押下に基づいて、マーキングされた映像が記憶されると、第１のコンテンツデータにおける、当該マーキングされた映像データ（図３参照）をＤＶＤ６１から取得する。
また、第１のコンテンツデータと同一のシリーズに属する第２のコンテンツデータがチューナ２において受信されると、ＣＰＵ１４１は、解析部１３において、記憶プログラム１４３ａの実行により記憶された映像（図３参照）との類似度が一定の閾値以上の映像（図４参照）を第２のコンテンツデータから検出する。例えば、ＣＰＵ１４１は、第１のコンテンツデータから取得した映像と、背景画像・背景色・背景枠等の一致度が所定の閾値以上の映像を、第２のコンテンツデータから取得する。そして、マーキングされた第１のコンテンツデータの映像と類似している映像が、第２のコンテンツデータにおいて検出された場合には、当該検出された映像の再生位置に基づいて、第２のコンテンツデータから当該映像データを取得する。
ここで、第２のコンテンツデータは、第１のコンテンツデータと同じシリーズに属する番組であるため、記憶プログラム１４３ａの実行により記憶された第１のコンテンツデータの映像（図３参照）と、画面構成（文字位置、文字サイズ、背景画像、背景色、背景枠等）の類似度が一定の閾値以上の映像（図４参照）は、第１のコンテンツデータの再生時にマーキングした映像と同じように、タイトル情報に含めたい文字や映像を含むユーザの意向に沿った映像である可能性が高いと考えられる。
なお、取得プログラム１４３ｂにおいて、第２のコンテンツデータから映像データを取得する際に、第１のコンテンツデータにおけるマーキングされた映像との類似度と再生位置の両方を考慮しても良い。
ＣＰＵ１４１は、かかる取得プログラム１４３ｂを実行することにより、ＤＶＤドライブ部６、解析部１３とともに、取得手段として機能する。
【００６２】
以上説明した実施形態２におけるＤＶＤレコーダ２００によれば、受信プログラム１２５ａの実行により、映像データを含む第１のコンテンツデータ及び当該第１のコンテンツデータと同一のシリーズに属する第２のコンテンツデータが受信され、記録プログラム１２５ｂの実行により、受信プログラム１２５ａの実行により受信された第１のコンテンツデータ及び第２のコンテンツデータが記録され、再生プログラム１２５ｃの実行により、記録プログラム１２５ｂの実行により記録された第１のコンテンツデータ及び第２のコンテンツデータが再生されて、映像データに基づく映像が表示部３００ａに表示され、マーキングプログラム１２５ｄの実行により、再生プログラム１２５ｃの実行による第１のコンテンツデータの再生時に、表示部３００ａに表示される映像がマーキングされ、記憶プログラム１４３ａの実行により、第１のコンテンツデータにおける、マーキングプログラム１２５ｄの実行によりマーキングされた映像が記憶され、取得プログラム１４３ｂの実行により、第１のコンテンツデータにおける、マーキングプログラム１２５ｄの実行によりマーキングされた映像の映像データが取得されるとともに、第１のコンテンツデータと同一のシリーズに属する第２のコンテンツデータから、記憶プログラム１４３ａの実行により記憶された映像が再生される再生位置が検出され、検出された再生位置に基づいて、第２のコンテンツデータに含まれる映像データが取得され、作成プログラム１２５ｇの実行により、取得プログラム１４３ｂの実行により取得された映像データに基づいて、記録プログラム１２５ｂの実行により記録された第１のコンテンツデータのタイトル情報及び第２のコンテンツデータのタイトル情報が作成される。また、作成プログラム１２５ｇの実行により、取得プログラム１４３ｂの実行により取得された映像データに含まれる文字データが取得されて、当該文字データに基づく文字の少なくとも一部を含むタイトル情報が作成又は取得プログラム１４３ｂの実行により取得された映像データに基づく映像のサムネイル画像が作成されて、当該サムネイル画像を含むタイトル情報が作成される。
したがって、コンテンツデータの再生時に再生映像をマーキングすると、その映像の映像データに基づいて、タイトル情報が作成されることとなる。したがって、コンテンツデータに含まれる映像データを用いた容易な操作で、よりユーザの意向に沿った録画コンテンツのタイトルを作成することができる。
また、ユーザ自身がタイトル情報を入力しなくても、所望の再生映像をマーキングするだけで、ユーザが望むタイトル情報を作成することができるため、ユーザにとって非常に利便的である。
さらに、コンテンツデータとともに送られてくる付加情報に含まれない情報であってもタイトル情報に含めることができるため、ユーザにとってより望ましいタイトル情報を作成することができる。
【００６３】
また、第１のコンテンツデータの再生時に再生映像をマーキングすることによりタイトル情報が作成されると、当該第１のコンテンツデータと同一のシリーズに属する第２のコンテンツデータについて、第１のコンテンツデータにおいてマーキングされた再生映像が再生される再生位置が検出されて、検出された再生位置の映像に基づいてタイトル情報が作成される。
即ち、同一のシリーズに属するコンテンツデータの各々についてマーキング作業を行わなくても、第１のコンテンツデータの再生時に再生映像のマーキングを行えば、同一のシリーズに属する第２のコンテンツデータの各々の映像データに応じたタイトル情報が自動的に作成されることとなる。したがって、第１のコンテンツデータと同一のシリーズに属する第２のコンテンツデータのそれぞれについて、タイトル情報を作成する必要が無いばかりか、第２のコンテンツデータの再生映像をマーキングしなくても、第２のコンテンツデータのそれぞれに応じた適切なタイトル情報が作成されることとなり、ユーザにとって更に利便的となる。
また、第１のコンテンツデータにおいてマーキングされた映像が、第２のコンテンツデータにおいて異なる再生位置で再生される場合でも、第１のコンテンツデータにおいてマーキングされた映像に基づいて、第２のコンテンツデータから映像データが検出されてタイトル情報が作成されることとなるため、より確実に、ユーザにとって望ましいタイトル情報を作成することができる。
【００６４】
また、作成プログラム１２５ｇの実行により、取得プログラム１４３ｂの実行により取得された映像データに含まれる文字データが取得され、当該文字データに基づく文字の少なくとも一部を含むタイトル情報が作成されるため、タイトル情報に含めたい文字が表示された再生映像をマーキングすれば、所望の文字情報をタイトル情報に含めて、ユーザにとってより望ましいタイトル情報を作成することができる。
【００６５】
また、作成プログラム１２５ｇの実行により、取得プログラム１４３ｂの実行により取得された映像データに基づく映像のサムネイル画像が作成され、当該サムネイル画像を含むタイトル情報が作成されるため、タイトル情報に含めたい再生映像をマーキングすれば、所望の映像のサムネイル画像をタイトル情報に含めて、ユーザにとってより望ましいタイトル情報を作成することができる。
【００６６】
なお、本発明は、上記実施の形態に限られることなく、本発明の趣旨を逸脱しない範囲において種々の改良並びに設計の変更をおこなっても良い。
例えば、作成手段により作成されるタイトル情報は、上記実施形態において例示したものに限られない。例えば、『トー○スとゴー○ン』ように、その放送回のタイトルのみをタイトル情報としても良い。また、その放送回のタイトルや登場人物名の他、簡単なあらすじ等、映像データや付加情報に含まれる情報であれば、タイトル情報に含めることができる。
また、映像データから抽出したテキストデータのうち、タイトルや登場人物名等、必要なテキストのみを判別する判別手段を設け、作成手段は、判別手段により必要であると判別されたテキストのみをタイトル情報に含めても良い。
また、一つのコンテンツデータにつき、複数の映像をマーキングできるように構成しても良い。そして、例えば、一度目にマーキングされた映像を、サブタイトルが含まれる映像データであると決定し、二度目にマーキングされた映像を、登場人物名が含まれる映像であると決定する。そして、サブタイトルと登場人物名等を区別してタイトル情報を作成しても良い。
また、第１のコンテンツデータの映像をマーキングする際に、マーキングした映像の種類(例えば、タイトル、サブタイトル、登場人物名)等を、ユーザが指定できる手段が備わっていても良い。
また、第１のコンテンツデータの映像をマーキングする際に、マーキングした映像のうち、タイトル情報に含める文字情報の表示位置（例えば、画面上部等）を指定できる手段が備わっていても良い。
また、第２のコンテンツデータから取得する映像データは、第２のコンテンツデータの受信時に、解析部４において取得するのではなく、一旦ＤＶＤ６１に記録した後に、ＤＶＤ６１から取得しても良い。
【図面の簡単な説明】
【００６７】
【図１】実施形態１におけるＤＶＤレコーダの要部構成を例示するブロック図である。
【図２】タイトル情報の作成方法を選択するためのメニュー画面を例示する図である。
【図３】第１のコンテンツデータから取得される再生映像を例示する図である。
【図４】第２のコンテンツデータから取得される再生映像を例示する図である。
【図５】マーキングした映像に含まれる文字を含むタイトル情報が作成された場合に、テレビジョン受像機の表示部に表示されるタイトル情報の一覧を例示する図である。
【図６】マーキングした映像に含まれる文字を含むタイトル情報が作成された場合に、テレビジョン受像機の表示部に表示されるタイトル情報の一覧を例示する図である。
【図７】マーキングした映像のサムネイル画像を含むタイトル情報が作成された場合に、テレビジョン受像機の表示部に表示されるタイトル情報の一覧を例示する図である。
【図８】実施形態２におけるＤＶＤレコーダの要部構成を例示するブロック図である。
【符号の説明】
【００６８】
１００        ＤＶＤレコーダ（記録再生装置）
１ａ          タイトル作成キー（マーキング手段）
２            チューナ（受信手段）
４            解析部（取得手段）
６            ＤＶＤドライブ部（記録手段、再生手段、取得手段）
８            文字認識部（作成手段）
９            サムネイル画像作成部（作成手段）
１０          タイトル情報作成部（作成手段）
１２１        ＣＰＵ（受信手段、記録手段、再生手段、マーキング手段、記憶手段、取得手段、作成手段）
１２４        再生位置記憶部（記憶手段）
１２５ａ      受信プログラム（受信手段）
１２５ｂ      記録プログラム（記録手段）
１２５ｃ      再生プログラム（再生手段）
１２５ｄ      マーキングプログラム（マーキング手段）
１２５ｅ      記憶プログラム（記憶手段）
１２５ｆ      取得プログラム（取得手段）
１２５ｇ      作成プログラム（作成手段）
２００        ＤＶＤレコーダ（記録再生装置）
１３          解析部（取得手段）
１４１        ＣＰＵ（受信手段、記録手段、再生手段、マーキング手段、記憶手段、取得手段、作成手段）
１４２        マーキング映像記憶部（記憶手段）
１４３ａ      記憶プログラム（記憶手段）
１４３ｂ      取得プログラム（取得手段）
【図１】
2009087394.tif 000003
【図２】
2009087394.tif 000004
【図３】
2009087394.tif 000005
【図４】
2009087394.tif 000006
【図５】
2009087394.tif 000007
【図６】
2009087394.tif 000008
【図７】
2009087394.tif 000009
【図８】
2009087394.tif 000010